(57)【要約】      （修正有）【課題】マウスの操作が快適で、パッドが薄く、表面の耐摩耗性や防水性が良好で、色あせを防止し、パッドの滑り止め効果を向上させたマウスパッド上に自分の好みの図柄を簡単に印刷することができるマウスパッドの構造を提供する。【解決手段】主体基材１０の表面にインク吸着性のあるコーティングシート１２、また裏面には滑り止め効果を有するラバーシート１４を設けた三層構造のマウスパッド本体の下層に、さらに底部シート１６を接着した多層構造であり、使用者が好みの図柄を印刷した後に、マウスパッド本体上の剥離線１８に沿って底部シート１６からはがすだけで簡単にオリジナルマウスパッドが製作できる。【選択図】図１
0003139219.tif 000002
【実用新案登録請求の範囲】
【請求項１】
布または合成樹脂層を主体基材とし、該主体機材の上層の全面にインク吸着性のあるコーティングシートを設け、該主体基材の下層には滑り止め効果を有するラバーシートを設け、該主体基材、及び該コーティングシート、及び該ラバーシートとが接合し、マウスパッド本体を形成するとともに、該マウスパッド本体上には剥離線を設け、さらに該マウスパッドの下層に底部シートを設け、マウスパッド本体と接着した多層構造を形成してなるマウスパッドの構造において、使用者は該マウスパッドの表面に図柄を印刷した後に、該マウスパッド本体と該底部シートを剥離線に沿って剥がして使用することを特徴とする印刷可能なマウスパッドの構造。
【請求項２】
前記多層構造は、一般の家庭用デジタル出力機器に対応しており、厚みの総計が１mm以下であることを特徴とする請求項１に記載の印刷可能なマウスパッドの構造。
【請求項３】
前記インク吸着性のあるコーティングシートは、PVA（ポリビニルアルコール）系の合成樹脂により形成されることを特徴とする請求項１に記載の印刷可能なマウスパッドの構造。
【請求項４】
前記主体基材の下層に設ける滑り止め効果を有したラバーシートは、PU（ポリウレタン）、PVC（ポリ塩化ビニル）などの合成樹脂成分、あるいはゴム類からなることを特徴とする請求項１に記載の印刷可能なマウスパッドの構造。
【請求項５】
前記滑り止め効果を有したラバーシートは、主体基材の下層の全面、あるいは部分的に設けられることを特徴とする請求項１に記載の印刷可能なマウスパッドの構造。
【請求項６】
前記ラバーシートの下層に設けられた底部シートは、マウスパッド本体をはがした後は粘着性を持たないことを特徴とする請求項１に記載の印刷可能なマウスパッドの構造。
【請求項７】
前記マウスパッド本体上には、様々な模様や、大きさの剥離線を設けることを特徴とする請求項１に記載の印刷可能なマウスパッドの構造。
【請求項８】
前記剥離線は、底部シートまで穿通していなくても、部分的に穿通していてもよいことを特徴とする請求項７に記載の印刷可能なマウスパッドの構造。
【考案の詳細な説明】
【技術分野】
【０００１】
本考案は、直接印刷が可能なマウスパッドの構造であり、具体的には厚さ1mm以下で、一般家庭用のデジタル画像出力機器で印刷できるマウスパッドの多層構造である。主体基材の表面にインク吸着性のあるコーティングシート、また裏面には滑り止め効果を有するラバーシートを設けた三層構造のマウスパッド本体の下層に、さらに底部シートを接合させた多層構造であり、使用者が好みの図柄をマウスパッド本体表面に印刷した後に、マウスパッド本体上の剥離線に沿って、本体と底部シートをはがすだけで簡単に自分で製作できるマウスパッドの構造に関する。
【背景技術】
【０００２】
市場には多くのマウスパッドが出回っているが、多層構造であるがゆえに、パッドに厚みのあるものが多く、無駄な材料を使う上に、机上のスペースもとる。さらに困るのは購入時に実用性を重視すべきか、個人の好みの色や、模様、図柄を重視すべきかという点である。マウスパッドの購入者はマウスの操作性やパッドの薄さ、表面の耐磨耗性、防水性だけでなく、図柄の色あせやすさや、マウスパッド自体の滑り止め効果など、考慮すべき要素が多く、それら全てを兼ね備えたマウスパッドを見つけるのは難しい。製造業者が製造の便宜を考慮して印刷したマウスパッドだけでは、消費者の選択肢が限られてしまう。マウスパッドに印刷してある図柄は色合いが単調であったり、キャラクターが幼稚すぎたりして好みに合わないか、そうでなければ、好みに合わない風景画や模様などのものが少なくない。
【特許文献１】特開平１１−７０７８２号公報
【考案の開示】
【考案が解決しようとする課題】
【０００３】
本考案は、前記のマウスパッドの構造の諸問題を鑑みて、マウスの操作性が高く、パッドが薄く、表面の耐摩耗性や防水性が良好で、色あせを防止し、パッドの滑り止め効果を向上させた上に、マウスパッドの表面に自分の好みの図柄を簡単に印刷することができるマウスパッドの構造を提供することを目的とする。
【課題を解決するための手段】
【０００４】
前記の目的を達成するために、本考案におけるマウスパッドの構造は、主体基材の表面にインク吸着性のあるコーティングシート、また裏面には滑り止め効果を有するラバーシートを設けた三層構造のマウスパッド本体の下層に、さらに底部シートを接合させた多層構造であり、使用者が好みの図柄をマウスパッド本体表面に印刷した後に、マウスパッド本体上の剥離線に沿って、本体と底部シートをはがすだけで簡単にオリジナルマウスパッドが製作できる。
【考案の効果】
【０００５】
本考案によれば、主体基材の表面にインク吸着性のあるコーティングシート、裏面には滑り止め効果を有するラバーシートを設けた三層構造のマウスパッド本体の下層に、さらに底部シートを接合させ、使用者が好みの図柄をマウスパッド本体表面に印刷した後に、マウスパッド本体上の剥離線に沿って、本体と底部シートをはがすだけで簡単に自作できるマウスパッドの構造を提供することが可能になる。
【考案を実施するための最良の形態】
【０００６】
以下、図面を参照して本考案の実施例を説明する。
【０００７】
図１に示すように、本実施例のマウスパッドの構造は、布または合成樹脂層を主体基材１０とし、該主体基材１０の上層表面にインク吸着性を有し、防水効果、インクの色あせを防止する効果を持つコーティングシート１２を設ける。該コーティングシート１２は一般的に合成樹脂製（PVA、ポリビニルアルコール製品）である。該主体基材１０の下層には、PU（ポリウレタン）、PVC（ポリ塩化ビニル）などの合成樹脂成分、あるいはゴム類からなるラバーシート１４を設ける。該ラバーシート１４は主体基材１０を作業面に密着させた上、滑り止めを効果を有する。前記の３種類の層が接合してマウスパッド本体２０が形成される。さらに、マウスパッド本体２０のラバーシート１４の下層に、底部シート１６を設け、マウスパッド本体２０と接合して、多層構造２２を形成してなる。これによりマウスパッド本体２０を保護することができ、また表面に剥離線１８を設けたマウスパッド本体２０は、分離することなくパソコンのデジタル画像出力機器を利用して自分の好きな図柄を該マウスパッド本体２０の表面に自分で印刷することができるようになる。その後、使用者は該マウスパッド本体２０を剥離線１８に沿って、該底部シート１８から剥がすだけでオリジナルマウスパッドが完成する。
【０００８】
図２に示すように、本実施例ではインクジェットプリンタ、レーザープリンタなどのデジタル画像出力機器４０を利用する。一般に使用されているデスクトップパソコンやノートブックパソコン（note book）をデジタル画像出力機器４０に接続して、使用者が選んだ好みの図柄を本実施例のコーティングシート１２の表面に自分で印刷すれば、オリジナル図柄３０のマウスパッドが完成する。本実施例の図に示すように、最近ではすでにデスクトップパソコンやノートブックパソコン（note book）に接続する必要がなく、メモリーカードを利用して写真印刷を行うデジタル画像出力機器４０もあるが、同様に自分の好きな図柄３０を選択して、本実施例のコーティングシート１２の表面に自分で印刷すれば、オリジナル図柄３０のマウスパッドが完成する。使用者がデスクトップパソコンやノートブックパソコン（note book）にデジタル画像出力機器４０を接続して使用する場合も、写真印刷専用のデジタル画像出力機器４０を使用して、オリジナル図案３０を印刷する場合も、本実施例の保護範囲とする。
【０００９】
図３に示すのは本考案を２５倍に拡大した断面図である。図に示すように、本考案の表面はインクの吸着性が高く、防水性、耐久磨耗性に富み、インクの色あせを防ぐ効果のあるコーティングシート１２を設けており、布製、あるいは合成樹脂製の主体基材１０の表面に位置する。さらに該主体基材１０の下層にはPU（ポリウレタン）、PVC（ポリ塩化ビニル）などの合成樹脂成分、あるいはゴム類からなり、滑り止め効果を有するラバーシート１４を設ける。さらに該ラバーシート１４の下層に底部シート１６を設ける。マウスパッド本体２０と接着させることにより、デジタル画像出力機器４０を利用し、本考案に図柄３０を印刷することが可能になる。使用者が自分で図柄３０の画像を出力するために、本考案は厚みを極力薄く（多層構造全体の厚みが１mm以下）したマウスパッドの構造である。
【００１０】
図４に示すのは本考案の一実施例を２５倍に拡大した断面図である。図に示すように、本考案の表面はインクの吸着性が高く、防水性、耐久磨耗性に富み、インクの色あせを防ぐ効果のあるコーティングシート１２を設けており、布製、あるいは合成樹脂製の主体基材１０の表面に位置する。さらに該主体基材１０の下層にはPU（ポリウレタン）、PVC（ポリ塩化ビニル）などの合成樹脂成分、あるいはゴム類からなり、滑り止め効果を有するラバーシート１４を設ける。さらに該ラバーシート１４の下層に底部シート１６を設ける。これら３種の層が一体となりマウスパッド本体２０を形成する。マウスパッド本体２０の下層にはさらに底部シート１６を設けており、マウスパッド本体２０と粘着し多層構造を形成する。これによりマウスパッド本体２０を保護することができ、表面に剥離線１８を設けたマウスパッド本体２０が分離することなく、本考案上にデジタル画像出力機器４０で図柄３０を印刷することができる。また、本図に示すように、使用者は本考案のコーティングシート１２の表面に図柄３０を印刷した後に、粘着性のない底部シート１６をはがすと、滑り止め効果のあるラバーシート１４が露出する。これにより使用者は机上に何度でも貼りなおしができ、マウスの使用時にパッドがずれることがなくなる。机上でキーボードと共用する際にも、机との段差を気にすることなくキーボード入力ができる。
【００１１】
図５に示すように、本考案のコーティングシート１２は、インクの吸着性を高め、防水性、耐摩耗性を向上させ、インクの色あせを防ぐために、該コーティングシート１２の原料は、一般的にPVA（ポリビニルアルコール）系の合成樹脂が使用され、また、主体基材１０の下層に設ける滑り止め効果を有したラバーシート１４には、PU（ポリウレタン）、PVC（ポリ塩化ビニル）などの合成樹脂成分、あるいはゴム類を用いる。使用者は自分の好きな図柄３０（本図は参考用）を選択し、本考案のコーティングシート１２の表面に自分で印刷する。オリジナルの図柄３０のマウスパッドが完成したら、マウスパッド本体２０上の剥離線１８に沿って、底部シート１６からはがし取る。該底部シート１６を廃棄すれば、オリジナル図柄３０のマウスパッドが完成する。
【００１２】
該底部シート１６は、デジタル画像出力機器４０で図柄３０を印刷する際のマウスパッドの紙送りを安定させ、また印刷時のラバーシート１４を保護することができる。印刷機の紙送りが回転する際に生じる圧傷や裂傷を防ぐだけでなく、マウスパッド本体２０の滑り止め効果への影響をも防ぐことができる。さらに重要なのは、本考案の販売者やオリジナル図柄３０を印刷しようとする人々にとって、包装に便利で運搬やストックの際にも効果的である。
【００１３】
上述の実施例、及び説明図に示すように、本実施例のオリジナル図柄が簡単に印刷できるマウスパッドの構造は、本体は薄型で、ラバーシート１４の滑り止め効果も良好であり、机との段差を感じさせず、使用者が好きな柄を選んで自分で印刷することができるという特徴をもつ。過去に刊行物に発表されておらず、また公開や使用もされていない。本考案は実用新案の条件に合致すること間違いなく、所定の手続きに基づき実用新案の登録を申請する。なお、上述の説明は本考案の一実施例であり、該実施例は本考案の目的、運用技術手段と構造を説明するための一例にすぎず、本考案の保護範囲を限定するものではない。本考案の説明、および特許請求の範囲で指定した内容に基づいた変更や応用も含め、全て本考案の保護範囲とする。
【図面の簡単な説明】
【００１４】
【図１】本考案のマウスパッドの製造工程を示す説明図である。
【図２】本考案のマウスパッドを画像出力機器により出力した状態を示す説明図である。
【図３】本考案のマウスパッドを２５倍に拡大した状態を示す概略断面図である。
【図４】本考案のマウスパッドの一実施例を２５倍に拡大した状態を示す概略断面図である。
【図５】本考案のマウスパッドの一実施例で図柄を印刷して完成した状態を示す一部分解平面図である。
【符号の説明】
【００１５】
１０  主体基材
１２  コーティングシート
１４  ラバーシート
１６  底部シート
１８  剥離線
２０  マウスパッド本体
２２  多層構造
３０  図柄
４０  画像出力機器
【図１】
0003139219.tif 000003
【図２】
0003139219.tif 000004
【図３】
0003139219.tif 000005
【図４】
0003139219.tif 000006
【図５】
0003139219.tif 000007